(57)【特許請求の範囲】
【請求項１】
二分割された一対のＵ字形磁心を組み込む絶縁ホルダーを使用したノイズフィルタであって、前記一対のＵ字形磁心のうち、一方のＵ字形磁心の背部の継鉄部分を絶縁ホルダーと一体成形したノイズフィルタにおいて、二分割された一対のＵ字形磁心の両磁脚の少なくとも一部分を覆うことが可能な２つの保持部を持ち、Ｕ字形磁心の継鉄部分の背部に圧接する折り曲げ可能な絶縁板部を持つ絶縁ホルダーに、他方のＵ字形磁心を挿入し、前記一方のＵ字形磁心の磁脚が前記他方のＵ字形磁心の磁脚と接合するように突き合わせ、前記保持部に眼鏡形の巻線を施してなるチョークコイル組立体を基台に固定したことを特徴とするノイズフィルタ。
【発明の詳細な説明】
【０００１】
【発明の属する技術分野】
本発明は、産業用や民生用電子機器の電磁ノイズの除去や車載用ラジオの受信感度の向上に用いられるノイズフィルタに関する。
【０００２】
【従来の技術】
従来、電子機器の電源部から発生し電源線を伝導する電磁ノイズを除去するために、コモンモードチョークコイルとコンデンサー等の電子部品より構成されたノイズフィルタが使用されている。
【０００３】
例えば、図５に示すように、車載用のラジオ機器において、ノイズフィルタ３６をバッテリー３５と車載用ラジオ３４のライン間に設けて、受信アンテナ３３から車載用ラジオ３４へ伝送する高周波電流の一部が、バッテリー３５へ漏洩したり、或いはバッテリー３５から車載用ラジオ３４へ雑音が混入するのを防止し、受信感度の向上を図っている。
【０００４】
又、ノイズフィルタは、図４の分解図に示すような構造になっていることが多い。このノイズフィルタは、Ｕ字形磁心Ａ２、Ｕ字形磁心Ｂ１７と、一対の眼鏡形の巻線３ａ，３ｂと、眼鏡形の絶縁板４と、前記Ｕ字形磁心Ａ２及びＵ字形磁心Ｂ１７と前記眼鏡形の巻線３ａ，３ｂと前記絶縁板４とを組合せ保持する絶縁ホルダーＡ２８と、該絶縁ホルダーＡ２８の取付穴３２と固定穴７とをビス８で固定する固定片９を有する基台１０と、該基台１０の固定穴２９にビス３１で取り付ける絶縁紙３０と、前記Ｕ字形磁心Ｂ１７と前記基台１０の側壁２７の間に挿入する絶縁紙４０と、ケース１１と、コネクタ１２，１３とを接続子１４で連結する電線１５，１６とから構成されている。
【０００５】
【発明が解決しようとする課題】
このように、従来のノイズフィルタは、部品点数が多いため、その組立ての順序が煩雑で、組立ての作業時間が多くかかるという欠点があった。
【０００６】
又、図４に示すような従来のノイズフィルタでは、絶縁ホルダーＡ２８とＵ字形磁心Ａ２とが振動によって位置ずれを起こす可能性があるため、接着剤等で接着する必要があった。
【０００７】
又、振動によって巻線３ａ，３ｂの絶縁被覆がはがれ、金属製の基台１０等に接触する可能性があるため、絶縁紙３０等を使って絶縁する必要があった。更に、Ｕ字形磁心Ｂ１７の背部の継鉄部分１８と基台の側壁２７とが接触するため、絶縁紙等を使って絶縁する必要があった。
【０００８】
従って、本発明の目的は、組立が容易で、振動による位置ずれが生じない、磁心と基台及び巻線の端末部とコンデンサーを容易に絶縁することができる、信頼性のある安価なノイズフィルタを提供するものである。
【０００９】
【課題を解決するための手段】
本発明は、二分割された一対のＵ字形磁心を組み込む絶縁ホルダーを使用したノイズフィルタにおいて、前記一対のＵ字形磁心のうち、一方のＵ字形磁心の背部の継鉄部分を絶縁ホルダーと一体成形したことを特徴とするノイズフィルタである。
【００１０】
本発明は、上記ノイズフィルタにおいて、二分割された一対のＵ字形磁心の両磁脚の少なくとも一部分を覆うことが可能な２つの保持部を持ち、Ｕ字形磁心の継鉄部分の背部に圧接する折り曲げ可能な絶縁板部を持つ絶縁ホルダーに、他方のＵ字形磁心を挿入し、一方のＵ字形磁心の磁脚が他方のＵ字形磁心の磁脚と接合するように突き合わせ、前記保持部に眼鏡形の巻線を施してなるチョークコイル組立体を基台に圧入固定したことを特徴とするノイズフィルタである。
【００１１】
（作用）
上記のように、二分割された一対のＵ字形磁心の一方のＵ字形磁心の背部の継鉄部分を覆うように絶縁ホルダーと一体成形することにより、部品点数が少なくなり、又、絶縁ホルダーとＵ字形磁心とが振動によって位置ずれを起こすこともなくなる。
【００１２】
又、絶縁性ホルダーが絶縁体のため、巻線との絶縁が強化され、絶縁紙の挿入の手間がなくなる。又、折り曲げ可能な絶縁板部を絶縁ホルダーにて構成しているために、Ｕ字形磁心の背部と基台の側壁の絶縁が強化される。
【００１３】
【発明の実施の形態】
以下、図面を用いて本発明の実施の形態を説明する。
【００１４】
本発明の一実施例のノイズフィルタの分解斜視図を図１に示す。又、図２に、ケースを取り外した状態の本発明のノイズフィルタの斜視図を示す。
【００１５】
図１に示すように、本発明のノイズフィルタは、絶縁ホルダーＡ１と一体成形したＵ字形磁心Ａ２と、これと対となるＵ字形磁心Ｂ１７と、一対の眼鏡形の巻線３ａ，３ｂと、該巻線３ａ，３ｂ間に介在する眼鏡形の絶縁板４と、Ｕ字形磁心Ａ２とＵ字形磁心Ｂ１７と眼鏡形の巻線３ａ，３ｂと絶縁板４とを保持する絶縁ホルダーＢ５と、前記絶縁ホルダーＡ１の取付穴６とビス８で固定する固定片９を有する基台１０と、ケース１１と、コネクタ１２，１３とを接続子１４で連結した電線１５，１６とから構成されている。
【００１６】
絶縁ホルダーＢ５は、図１及び図３に示すように、Ｕ字形磁心Ａ２及びＵ字形磁心Ｂ１７の両磁脚３７，３８を覆うことが可能な二つの保持部３９を有する。
【００１７】
又、絶縁ホルダーＢ５は、保持部３９に磁脚３８が挿入されたＵ字形磁心Ｂ１７の背部の継鉄部分１８を圧接することが可能な、折り曲げ部１９を持つ絶縁板部２０を有する。
【００１８】
本発明のノイズフィルタは、次のようにして組み立てられる。図１に示すように、絶縁ホルダーＢ５の保持部３９に、丸導線を筒形に且つ２層に形成して、眼鏡形に巻いた２個の分割巻線間に絶縁板４挿入する。
【００１９】
次に、Ｕ字形磁心Ｂ１７を挿入し、更に、絶縁ホルダーＡ１と絶縁ホルダーＢ５を、絶縁ホルダーＡ１と一体成形したＵ字形磁心Ａ２の磁脚３７がＵ字形磁心Ｂ１７の磁脚３８と接合するように組み合わせ、Ｕ字形磁心Ｂ１７の背部の継鉄部分１８に圧接するように、折り曲げ部１９から折り曲げ、チョークコイル組立体２１を形成する。
【００２０】
このチョークコイル組立体２１を金属製の基台１０に設けた側壁２７と固定片９の間に圧入する。この時、側壁２７に設けた凸部４３が、チョークコイル組立体２１の折り曲げ部１９を押圧する。又、固定片９の固定穴７に、取付穴６を利用し、ビス８を用いてビス止めすることにより、チョークコイル組立体２１と基台１０とを固定する。
【００２１】
更に、眼鏡形の巻線３ａ，３ｂの入出力端に接続子１４を介して一対の電線１５，１６を接続し、コンデンサー２２をチョークコイル組立体のコンデンサー収納部２３に挿入し、コンデンサー端子２４を線間あるいは線対接地間に接続する。最後に、図２に示すように、絶縁性のケース１１の係合部２５に前記基台１０の係止部２６を組み合わせ、基台１０で蓋をして、本発明のノイズフィルタが完成する。
【００２２】
【発明の効果】
以上、説明したように、本発明によるノイズフィルタは、部品点数が少なく、組立が容易であり、振動による位置ずれが生じない、磁心と基台及び巻線の端末部とコンデンサーの絶縁が容易なため、信頼性が高くなり、かつ、安価となる。
【図面の簡単な説明】
【図１】上部から見た本発明の一実施例によるノイズフィルタの分解斜視図。
【図２】ケースを取り外した状態の本発明の一実施例によるノイズフィルタの斜視図。
【図３】本発明のノイズフィルタに使用される絶縁ホルダーの斜視図。
【図４】底面から見た従来のノイズフィルタの分解斜視図。
【図５】車載用ラジオと他の機器との構成を説明するための図。
【符号の説明】
１，２８    絶縁ホルダーＡ
２    Ｕ字形磁心Ａ
３ａ，３ｂ    （眼鏡形の）巻線
４    絶縁板
５    絶縁ホルダーＢ
６，３２    取付穴
７，２９    固定穴
８，３１    ビス
９    固定片
１０    基台
１１    ケース
１２，１３    コネクタ
１４    接続子
１５，１６    電線
１７    Ｕ字形磁心Ｂ
１８    Ｕ字形磁心Ｂの背部の継鉄部分
１９    折り曲げ部
２０    絶縁板部
２１，４２    チョークコイル組立体
２２    コンデンサー
２３    コンデンサー収納部
２４    コンデンサー端子
２５    係合部
２６    係止部
２７    側壁
３０，４０    絶縁紙
３３    受信アンテナ
３４    車載用ラジオ
３５    バッテリー
３６    ノイズフィルタ
３７，３８    磁脚
３９，４１      保持部
４３    凸部
【図１】
0003761961.tif 000002
【図２】
0003761961.tif 000003
【図３】
0003761961.tif 000004
【図４】
0003761961.tif 000005
【図５】
0003761961.tif 000006